(57)【要約】      （修正有）【課題】光に晒されるときに、理想的なラウンドカットダイヤモンドによって生成されるハートアンドアローパターンと比較可能なハートアンドアローパターンを生成する、メインクラウンファセットを有するハート形ダイヤモンドを提供する【解決手段】ハート形ダイヤモンドは、互いに対称的に整列させられる８個のメインクラウンファセットと、互いに約４５°の一定の所与の角度で整列させられ共通地点で集束する８個のメインパビリオンファセットと、互いに２２．５°で整列させられる１６個のパビリオンハーフファセットと、不均一であるガードルと、テーブルファセットと、テーブルファセットを取り囲む配置における多数のクラウンスターファセットとを含み、８個のメインクラウンファセットの各々は、それに対向して配置される他のメインクラウンファセットの直線エッジと平行に整列させられる直線エッジを有する。【選択図】図２Ａ
2014133099.tif 000002
【特許請求の範囲】
【請求項１】
光に晒されるときに、ラウンドダイヤモンドにおけるハートアンドアローパターンと実質的に均等なハートアンドアローパターン特性を表示する、非対称的な形状のハート形ダイヤモンドであって、
−  互いに対称的に整列させられる８個のメインクラウンファセットと、
−  互いに約４５°の一定の所与の角度で整列させられる８個のメインパビリオンファセットと、
−  互いに２２．５°で整列させられる１６個のパビリオンハーフファセットと、
−  非均一であり且つ当該ダイヤモンドを通じて実質的に不均等な厚さを有するガードルと、
−  テーブルファセットと、
−  該テーブルファセットを取り囲む配置における多数のクラウンスターファセットと、を含み、
前記８個のメインクラウンファセットの各々は、互いに実質的に同一の角度でポリッシュされ、前記８個のメインクラウンファセットの各々は、それに対して対向して配置される他のメインクラウンファセットの直線エッジと平行に整列させられる直線エッジを有し、
前記８個のメインパビリオンファセットは、２％以下の公差を伴って、当該ダイヤモンドのほぼ中心に対応する共通の地点で集束する、
ハート形ダイヤモンド。
【請求項２】
各パビリオンハーフファセットは、ある地点でメインパビリオンファセットと交差し、前記地点は、当該ダイヤモンドの対称中心にほぼ対応するキューレットと、各々の前記地点との間の距離において等しい、請求項１に記載のハート形ダイヤモンド。
【請求項３】
前記メインパビリオンファセットの各々は、４０．５°〜４１．２°の間でカットされる、請求項２に記載のハート形ダイヤモンド。
【請求項４】
前記クラウンハーフは、前記メインクラウンファセットの角度よりも険しい３．８°〜４．６°の間の角度でカットされる、請求項３に記載のハート形ダイヤモンド。
【請求項５】
前記パビリオンハーフファセットは、当該ダイヤモンドの共通の中心から当該ダイヤモンドのガードルまで測定される前記メインパビリオンファセットの長さの３／４以下の長さを有する、請求項２に記載のハート形ダイヤモンド。
【請求項６】
前記クラウンスターファセットの各々の大きさは、前記メインクラウンファセットの大きさと比べて小さい、請求項２に記載のハート形ダイヤモンド。
【請求項７】
前記クラウンスターファセットは、当該ダイヤモンドの前記テーブル側を通じて観察されるとき、前記メインクラウンファセットの４５％〜５５％のみをカバーする、請求項６に記載のハート形ダイヤモンド。
【発明の詳細な説明】
【技術分野】
【０００１】
本発明は米国特許出願第１１／７４４，５２８号の継続出願であり、より具体的には、光に晒されるときに、理想的なラウンドカットダイヤモンドによって生成されるハートアンドアローパターンと比較可能なハートアンドアローパターン特性を生成する、８個のメインクラウンファセットを有するハート形のダイヤモンドに関する。
【背景技術】
【０００２】
ラウンドダイヤモンドがほぼ完全な円形にカットされ、その角度プロポーションが以下に表１において教示されるような比較的狭い範囲を満足する均等で対称的な切断ファセットを保有するならば、ハートアンドアローパターンは、光に晒されるときに、ラウンドカットダイヤモンド内から成功裡に生成される。ほぼ完全なラウンドカットダイヤモンドのシンメトリ（対称性）は、現在まで他の形状のダイヤモンドが匹敵し得ない、ブリリアンス、カラー、光学的光処理特性をもたらす。ダイヤモンドはラウンド以外の多くの異なる幾何学的形状、例えば、ハート形、楕円形、洋梨形、マーキース、プリンセス、エメラルド等にカットされるのが典型的であるが、ラウンドカットダイヤモンドだけがほぼ完全な対称的な形状を有する。この目的のために、ハートアンドアローパターンは、ラウンド形状に限定される特性であり、その場合でさえも、全てのファセットが均しい大きさ及び深さ並びに等しい角度を有するほぼ完全な対称的な形状にカットされるときにだけ限定される特性であると従来考えられてきた。従来的な考えに反して、ハート形ダイヤモンドは不規則で非円形の形状を有するので、当業者は、ハート形ダイヤモンドをカットして、光に晒されるときにハートアンドアローパターンをもたらすことを考えなかった。
【０００３】
ラウンドカットダイヤモンドにおいて、ハートアンドアローパターンは、そのカットファセット、角度パラメータ、及び整列関係に関する条件が以下の表Ｉに示すようであるときにのみ現れる。
【０００４】
表Ｉ
・  ダイヤモンドの形状が完全に対称的である。
・  ８個のメインクラウン及び２４個の補助クラウンファセット。
・  ８個のボトム及び１６個の補助ボトムファセット。
・  全てのメインファセット（クラウン及びボトム）が互いに完全な４５°でポリッシュ（研磨）されなければならない。
・  全てのファセットが完全に整列させられる。
・  全てのボトムメインファセットが等しい大きさを有し、４０．６°〜４１．０°に及ぶ角度にある。
・  全てのボトム補助ファセットが等しい大きさを有し、メインファセットよりも正確に１．２°より険しい角度にある（メインボトム角度４０．６°〜４１．０°＋補助４１．８°〜４２．２°）。
・  全てのメインクラウンファセットは等しい大きさを有し、３３．８°〜３５．１°に及ぶ角度にある。それらはメインボトムファセット上で完全に整列させられなければならない。
・  全ての補助クラウンファセットは等しい大きさを有し、メインクラウン及び補助ボトムファセット上で完全に整列させられなければならない。
・  理想的なカットプロポーションは、
全体的深さ      ５９．４％〜６２．４％
クラウン高さ    １４．５％〜１６．０％
ガードル厚さ    １．５％〜２．９５％
丸み度          ９９．０％〜１００％
テーブルサイズ  ５３．０％〜５７．５％
【発明の概要】
【発明が解決しようとする課題】
【０００５】
本発明の目的は、光に晒されるときに、理想的なラウンドカットダイヤモンドによって生成されるハートアンドアローパターンと比較可能なハートアンドアローパターンを生成する、メインクラウンファセットを有するハート形ダイヤモンドを提供することである。
【課題を解決するための手段】
【０００６】
本発明に従ったハート形ダイヤモンドは、光に晒されるときに、ラウンドダイヤモンドにおけるハートアンドアローパターンのハートアンドアローパターン特性を表示し、互いに対称的に整列させられる８個のメインクラウンファセットと、互いに約４５°の一定の所与の角度で整列させられる８個のメインパビリオンファセットと、ガードルと、テーブルファセットとを含み、８個のメインクラウンファセットの各々は、それに対向して配置される他のメインクラウンファセットの直線エッジと平行に整列させられる直線エッジを有し、８個のメインパビリオンファセットは、それらがダイヤモンドの対称中心に対応する地点で交わるような対称的な数のパビリオンハーフファセットを有する。ハート形ダイヤモンドは、ダイヤモンドの表面の上で互いに離間した多数のクラウンスターファセットを更に含み、クラウンスターファセットの各々の大きさは、メインクラウンファセットの大きさに対して小さい。本発明のハート形ダイヤモンドの他の高度に好適な属性は、対において配置されるパビリオンハーフファセットを有し、各パビリオンハーフファセットは、各隣接するパビリオンハーフファセットから２２．５°の角度でポリッシュされ且つ整列させられることである。クラウンハーフがメインクラウンファセットの角度よりも険しい３．８°〜４．６°の間の角度でカットされることが更に好ましく、パビリオンハーフファセットがダイヤモンドの共通中心からダイヤモンドガードルまで測定されるメインパビリオンファセットの長さの３／４を越えるべきではないことが更に好ましい。その上、パビリオンハーフファセットの各々とダイヤモンドの共通中心との間の距離は同一でなければならない。
【０００７】
添付の図面と共に判読するとき、他の利点が本発明の以下の詳細な説明から明らかになるであろう。
【図面の簡単な説明】
【０００８】
【図１Ａ】従来的にカットされた従来技術のハート形ダイヤモンドのメインクラウンファセットを示す頂面図である。
【図１Ｂ】従来的にカットされた従来技術のハート形ダイヤモンドのクラウンハーフ及びクラウンスターを示す頂面図である。
【図１Ｃ】従来的にカットされた従来技術のハート形ダイヤモンドのメインパビリオンファセットを示す頂面図である。
【図１Ｄ】従来的にカットされた従来技術のハート形ダイヤモンドのメインパビリオンファセット上でポリッシュされた多数のパビリオンハーフファセットを示す頂面図である。
【図１Ｅ】テーブルファセット側から見た従来的なハート形ダイヤモンド上のバタフライ効果を示す頂面図である。
【図２Ａ】図１Ａと比較可能な本発明のハート形ダイヤモンドのメインクラウンファセットを示す頂面図である。
【図２Ｂ】図１Ｂと比較可能な本発明のハート形ダイヤモンドのクラウンハーフ及びクラウンスターを示す頂面図である。
【図２Ｃ】図１Ａと比較可能な本発明のハート形ダイヤモンドのメインパビリオンファセットを示す頂面図である。
【図２Ｄ】図１Ａと比較可能な本発明のハート形ダイヤモンドのメインパビリオンファセット上でポリッシュされた多数のパビリオンハーフファセットを示す頂面図である。
【図２Ｅ】図２Ｄの拡大図である。
【図３】本発明のハート形ダイヤモンドの側方プロファイルを示す側面図である。
【図４】図４に示すような本発明のハート形ダイヤモンドにおけるメインクラウンファセットと図１Ａに示す従来的なカットのハート形ダイヤモンドのメインクラウンファセットとの間の主な相違を示す図２Ａに類似する比較可能な頂面図である。
【図５】図５に示すような本発明のハート形ダイヤモンドにおけるメインパビリオンファセットと図１Ｃに示す従来的なカットのハート形ダイヤモンドのメインパビリオンファセットとの間の主な相違を示す図２Ｃに類似する比較可能な頂面図である。
【発明を実施するための形態】
【０００９】
ダイヤモンドは反射及び屈折を用いて光を分散させるプリズムのように機能する結晶である。従来技術として識別される従来的なカットのハート形ダイヤモンドが図１Ａ−１Ｅにそれぞれ示されている。本発明のハート形にカットされるダイヤモンドの比較図が図２Ａ−２Ｅに示されている。従来的なハート形ダイヤモンドが、図１Ａに示すようなダイヤモンドのアッパークラウン部分に補助クラウンファセットを含み、図１Ｂに示すような複数のクラウンハーフ及びクラウンスターを含むのは通例である。図２Ａに示すような本発明のハート形ダイヤモンドは、ダイヤモンドのアッパークラウン部分に如何なる補助クラウンファセットをも有さない。その上、従来的なハート形ダイヤモンドにおいて、図１Ｃに示すようなパビリオンファセットの集束地点（より典型的にはキューレット１１と呼ばれる）は、ダイヤモンドの中心に配置されず、中心から片寄っているのに対し、図２Ｃ−２Ｅ及び図３に示すような本発明のハート形にカットされるダイヤモンドにおいて、パビリオンファセットの集束地点、即ち、キューレット１１は、ダイヤモンドの中心に配置される。その上、従来的なハート形ダイヤモンドにおいて、ガードル「ｇ」は、ダイヤモンドを通じて本質的に均等な厚さにある。従来的なハート形ダイヤモンドのファセットの位置、角度、及び整列は、ハートの形状と一致し、従って、位置付け、整列、大きさ、角度、及び深さに関して対称的でない。従来的なハート形ダイヤモンドは、異なる角度でポリッシュ（カット）されるファセットを有することで、中心から逸れたキューレット及び一貫して均等なガードル厚さをもたらす。これはダイヤモンド取引において図１Ｅに示す「バタフライ」効果として知られるものをもたらし、ダイヤモンドのアッパークラウン部分と半体のガードル「ｇ」の側にあるテーブルファセット１５を通じて光の存在の下で従来的なハート形ダイヤモンドを見るとき、ダイヤモンドの左及び右中央領域に暗いパッチ１６及び１７が見える。
【００１０】
従来、ハート形のダイヤモンドは、以下の表ＩＩ中の条件を満足するよう構成される。
【００１１】
表ＩＩ                              
・  ８個のメインパビリオンファセットは石の形状と整列させられ、よって、それらは非対称であり、全てのメインパビリオンファセットの間の角度を有意に異ならせる。
・  異なる角度を備える１８個のパビリオンハーフ。
・  互いに整列させられない９個のメインクラウンファセット。
・  異なる角度を備える１８個のクラウンハーフ。
・  異なる角度、大きさ、及び深さを備える１８個のクラウンハーフ。
・  パビリオンファセットは、３２°〜３８°の角度内でカットされる。
・  クラウンファセットは、３０°〜３８．５°の角度範囲内でカットされる。
・  従来的なハート形ダイヤモンドは（平坦な）低いクラウン及びパビリオン角度ファセットでカットされ、５２％〜６０％の間の全体深さをもたらす。
・  クラウン及びパビリオンファセットの曲線は石の長手軸と平行にポリッシュされず、石の輪郭と一致するテーブルの形状をもたらす地点に向かってより多くカットされる。
・  ダイヤモンドの地点（キューレット）は石の中心にない。
【００１２】
本発明のハート形状のダイヤモンドは、ハートの非対称的な形状及びハートカットダイヤモンドの２つのメインクラウンファセットの間に固有に形成される溝１４の存在を無視することによってハートアンドアローパターンをもたらすよう創り出される。主題の発明のハート形ダイヤモンドは、８個のメインクラウンファセットと、対称的な数のパビリオンハーフファセット、即ち、等しい角度及び高さを備える８個のメインパビリオンファセット上の１６個のポリッシュされたほぼ完全に対称的なパビリオンハーフファセットと互いに約４５°の固定的な所与の角度で対称的に整列させられる８個のメインパビリオンファセットとに限定される。実際には、従来的なハート形ダイヤモンドにおけるように中心から逸れるのとは対照的に、８個のメインパビリオンファセットがダイヤモンドの対称中心に対応する単一の地点又はキューレット１１に集束するよう、８個のメインパビリオンファセットは対称的に配置されなければならない。
【００１３】
主題の発明のハート形ダイヤモンドは、図２Ａ−２Ｅの様々な頂面図に示されており、８個のメインクラウンファセット（ｃｆ１〜ｃｆ８）を含むアッパークラウン部分と、８個のメインパビリオンファセット（ｐｆ１〜ｐｆ８）と、１６個のパビリオンハーフファセット（ｐｈｆ１〜ｐｈｆ１６）と、複数のクラウンハーフファセット（以下「ｃｈ」と呼ぶ）と、複数のクラウンスターファセット（以下「ｃｓ」と呼ぶ）と、ガードル（ｇ）と、アッパークラウン部分とは反対のガードル（ｇ）の側に配置されるテーブルファセット１５とを含む。ガードル（ｇ）は、アッパークラウン部分をテーブルファセット１５から分離し、その直径を通じて厚さが不均等で不均一である。ガードル（ｇ）は、好ましくは、ロワーガードル領域の厚みよりも厚く且つショルダ領域よりも厚い中心配置されるベリー領域（腹領域）を有するべきであり、図３に示すように、ダイヤモンドを通じてガードルの厚みを異ならせる。
【００１４】
本発明のハート形ダイヤモンドにおいて、クラウンスターファセット（ｃｓ）は、ダイヤモンドのテーブル側を通じて観察されるとき、好ましくは、メインクラインファセットの距離の４５％〜５０％のみをカバーすべきである。
【００１５】
パビリオンファセットは大きさ、角度、及び高さが等しく、ガードル（ｇ）に対して同じ角度を有する。その上、全てのパビリオンファセットは、４０．５°〜４１．２°の間の角度でポリッシュされるのが好ましい。その上、全てのパビリオンハーフファセットは高さが等しく、ダイヤモンドの対称中心に対応するキューレット１１と各々の交差地点との間の距離が本質的に等しいような地点でメインパビリオンファセットと交差する。パビリオンハーフは、好ましくは、メインパビリオンファセットの高さの約３／４でなければならない。
【００１６】
加えて、図２Ｅに示すように、パビリオンハーフファセット（ｐｈｆ１〜ｐｈｆ１６）は、図２Ｅ中で単に（ａ）及び（ｂ）で示される第１及び第２のパビリオンハーフファセットを有する対において配置され、パビリオンハーフファセットの各対は、パビリオンハーフファセット（ａ）が同じ対中のパビリオンハーフファセット（ｂ）に対して２２．５°に配置され、パビリオンハーフファセット（ｂ）が隣接する対中の隣のパビリオンハーフファセット（ｃ）に対して精密にカットされ、パビリオンハーフファセット（ｂ）は、パビリオンハーフファセット（ｃ）と共通の境界を共有する。別の言い方をすれば、各対の２つのパビリオンハーフファセットは、同じメインパビリオンファセットの上に配置され、互いに同じ角度でポリッシュされる、即ち、パビリオンハーフファセット（ａ）は、同じ対中のパビリオンハーフファセット（ｂ）に対して２２．５°に配置され、パビリオンハーフファセット（ｂ）は、共通の境界を共有する隣のパビリオンハーフファセット（ｃ）に対して精密にカットされる。
【００１７】
本発明のハート形ダイヤモンドにおいて、６個のメインパビリオンファセット（ｐｆ１〜ｐｆ６）の全ては、あたかも円において約６０°の一定の所与の角度、即ち、３６０°・８＝４５°にあるように、互いに対称関係において角度的に整列させられ、メインパビリオンファセットの各々は、上記で説明したように、本質的に同じ角度でカットされ、ここで、図５に示すように、α＝γ＝γ１＝βであり、好ましくは、４０．５°〜４１．２°の間に位置し、それによって、非対称形状の上にシンメトリ（対称性）を生み出している。これは対応するメインパビリオン角度が互いに等しくない従来的なハート形ダイヤモンドと対照的である。
【００１８】
加えて、図４に示すような本発明のハート形ダイヤモンドの８個のメインクラウンファセット（ｃｆ１〜ｃｆ８）の全ては、それに対向して配置される他のメインクラウンファセットの対応するエッジと平行に位置するエッジを有する。ｃｆ１のエッジＡは、ｃｆ１におけるエッジＡに対向して配置されるｃｆ５のエッジＥと平行であり、ｃｆ２のエッジＢは、ｃｆ６のエッジＦと平行であり、ｃｆ３のエッジＣは、ｃｆ７のエッジＧと平行であり、ｃｆ４のエッジＤは、ｃｆ８のエッジＨと平行である。これはメインクラウンファセットがそれに対向して位置付けられるメインクラウンファセットの対応するエッジと平行に整列するエッジを有しない図１Ａに示すような従来的なハート形ダイヤモンドと対照的である。
【００１９】
その上、本発明のハート形ダイヤモンドにおいて、全てのパビリオンハーフは、メインパビリオンファセット上で４０．５°〜４１．２°の間の好適な角度で対称的にポリッシュされる。これは全てのパビリオンハーフが異なる角度でポリッシュされる従来的なハート形ダイヤモンドと対照的である。本発明のハート形ダイヤモンドのための好適なファセッティング及びパラメータ条件の全ては、以下の表ＩＩＩに含まれる。
【００２０】
表ＩＩＩ                            
・  非対称的な形状の上にシンメトリを生み出すために（３６０°・８＝４５°）、互いに４５°の角度で整列させられる８個のメインパビリオンファセット。
・  互いに整列させられ且つメインパビリオンファセットと整列させられる８個のメインクラウンファセット。
・  全てのメインパビリオンファセットは（４０．５°〜４１．２°に及ぶ）同一の角度を有する。
・  全てのメインパビリオンファセットは、同一の大きさ及び深さを有する。
・  あらゆるメインクラウンファセットは、完全に平行な対向するメインクラウンファセットを有する。
・  あらゆるメインパビリオンファセットは、完全に平行な対向するメインパビリオンファセットを有する。
・  ダイヤモンドの点（キューレット）は、ほぼ完全に中心にあり、２％の最大公差が許容される。
・  メインパビリオンファセットは、隣接するメインパビリオンファセットから正確な４５°で全てポリッシュされる。
・  メインクラウンファセットは、隣接するメインクラウン角度から正確な４５°で全てポリッシュされる。
・  パビリオンハーフは、同一の角度、大きさ、及び高さを有さなければならない。
・  クラウンハーフは、メインクラウンファセットよりも険しい３．８°〜４．６°の角度でポリッシュされなければならない。
・  パビリオンハーフは、メインパビリオンファセットの長さの３／４を越えてはならない。
・  クラウンスターファセットは、テーブルを通じて観察されるときに、メインクラウンファセットの距離の４５％〜５５％だけをカバーしなければならない。
・  メインパビリオンファセットは、メインクラウンファセットと整列させられるのが好ましい。
・  ２つのパビリオンハーフファセットが、各メインパビリオンファセット上でポリッシュされ、各パビリオンハーフファセットは、互いに正確に２２．５°でポリッシュされるのが好ましい。
・  パビリオンハーフファセットは、ガードルファセットからメインパビリオンファセットが交わるキューレット地点１１まで測定されるようなメインクラウンファセットの距離の６６％〜８２％の間でなければならない。
【００２１】
ハート形ダイヤモンドの上で最適なハートアンドアローパターンを達成するためのパラメータは、以下の通りである。
・  全体的深さ            ５９．５％〜６４．３％
・  パビリオン深さ        ４３．６％〜４６．２％
・  メインパビリオン角度  ４０．５５°〜４１．２°
・  クラウン深さ          １４．５％〜１６．２％
・  メインクラウン角度    ３３．６°〜３５．２°
・  テーブルサイズ        ５３．５％〜５７．８％
・  キューレット（ダイヤモンドの地点）の位置は、ほぼ中心になければならない。公差は２％未満でなければならない。
・  クラウンハーフ        メインクラウン角度よりも３．８°〜４．６°より険しい。
・  クラウンスター        メインクラウン角度よりも１４．４°〜１７．８°より平坦である。
【符号の説明】
【００２２】
１１                キューレット
１４                溝
１５                テーブルファセット
１６，１７          パッチ
ｃｆ１〜ｃｆ８        メインクラウンファセット
ｐｆ１〜ｐｆ８        メインパビリオンファセット
ｐｈｆ１〜ｐｈｆ１６  パビリオンハーフファセット
ｃｈ                クラウンハーフファセット
ｃｓ                クラウンスターファセット
ｇ                  ガードル
Ａ〜Ｈ              エッジ（縁）
【図１Ａ】
2014133099.tif 000003
【図１Ｂ】
2014133099.tif 000004
【図１Ｃ】
2014133099.tif 000005
【図１Ｄ】
2014133099.tif 000006
【図１Ｅ】
2014133099.tif 000007
【図２Ａ】
2014133099.tif 000008
【図２Ｂ】
2014133099.tif 000009
【図２Ｃ】
2014133099.tif 000010
【図２Ｄ】
2014133099.tif 000011
【図２Ｅ】
2014133099.tif 000012
【図３】
2014133099.tif 000013
【図４】
2014133099.tif 000014
【図５】
2014133099.tif 000015